(57)【要約】【課題】複数の間仕切パネルを備える間仕切壁において、施工工数の増大を抑制しつつ、隣り合う間仕切パネル同士の間の隙間を通じた光漏れを防止することができる建物の間仕切壁構造を提供する。【解決手段】間仕切壁１０は、複数の間仕切パネル２０が横並びで設置されることにより構成されている。間仕切パネル２０は、下地フレーム２１と、その下地フレーム２１を挟んだ両側にそれぞれ設けられた石膏ボード２５，２７と、石膏ボード２５，２７の裏面に沿って設けられた遮音シート２６，２８とを備える。隣り合う各間仕切パネル２０のうち一方の間仕切パネル２０では、遮音シート２８が石膏ボード２７から他方の間仕切パネル２０側にはみ出しており、そのはみ出したはみ出し部２８ａがそれら隣り合う間仕切パネル２０同士の間に挟み込まれている。【選択図】      図２
2013112990.tif 000002
【特許請求の範囲】
【請求項１】
複数の間仕切パネルが横並びで設置されることにより間仕切壁が構成される建物の間仕切壁構造において、
前記間仕切パネルは、下地フレームと、その下地フレームを挟んだ両側にそれぞれ設けられた壁面材と、前記壁面材の裏面に沿って設けられたシート材とを備え、
隣り合う各間仕切パネルのうち少なくともいずれか一方では、前記シート材が前記壁面材から他方の間仕切パネル側にはみ出しており、そのはみ出したはみ出し部がそれら隣り合う間仕切パネル同士の間に挟み込まれていることを特徴とする建物の間仕切壁構造。
【請求項２】
前記シート材のはみ出し部は、隣り合う間仕切パネルの間において隣接する下地フレーム同士の間に挟み込まれていることを特徴とする請求項１に記載の建物の間仕切壁構造。
【請求項３】
前記シート材は、遮音シートからなることを特徴とする請求項１又は２に記載の建物の間仕切壁構造。
【請求項４】
前記間仕切パネルにおいて前記下地フレームを挟んだ両側のうちいずれか一方側では、前記壁面材が複数枚重ねて設けられており、それら重ねられた壁面材の間に前記遮音シートが挟み込まれた状態で設けられており、
前記遮音シートを挟んで重なり合う２つの壁面材のうちいずれか一方の壁面材の側端部には他方の壁面材側の角部に隅取り部が形成されており、
前記遮音シートにおいて前記はみ出し部は前記隅取り部側に曲げられて隣り合う間仕切パネルの間に挟み込まれていることを特徴とする請求項３に記載の建物の間仕切壁構造。
【請求項５】
前記間仕切パネルは、前記シート材のはみ出し部を、当該間仕切パネルの側端部に当接させた状態で保持する保持手段を備えることを特徴とする請求項１乃至４のいずれか一項に記載の建物の間仕切壁構造。
【請求項６】
前記間仕切パネルには、前記下地フレームを挟んだ両側の壁面材のうちいずれか一方側の壁面材に対して前記シート材が設けられ、そのシート材のはみ出し部が前記隣り合う間仕切パネルの間に挟み込まれており、
前記下地フレームは、縦桟と横桟とが矩形枠状に連結されてなるものであり、
前記隣り合う間仕切パネルにおいて隣接し合う他方側の壁面材同士の間の境界部が、それら各間仕切パネルのうちいずれかの前記下地フレームの縦桟と壁厚み方向に重なる位置に配置されていることを特徴とする請求項１乃至５のいずれか一項に記載の建物の間仕切壁構造。
【請求項７】
前記間仕切パネルには、前記下地フレームを挟んだ両側の壁面材のうちいずれか一方側の壁面材に対して前記シート材が設けられ、そのシート材のはみ出し部が前記隣り合う間仕切パネルの間に挟み込まれており、
前記隣り合う間仕切パネルにおける隣接する他方側の壁面材同士において対向する各対向面はそれぞれ、それら各対向面の間の隙間が少なくとも一部において当該壁面材の横幅方向の成分を含む所定方向に延びるように形成されていることを特徴とする請求項１乃至５のいずれか一項に記載の建物の間仕切壁構造。
【発明の詳細な説明】
【技術分野】
【０００１】
本発明は、建物の間仕切壁構造に関する。
【背景技術】
【０００２】
住宅等の建物における間仕切壁の構造としては、複数の間仕切パネルを横並びに設置することにより間仕切壁を構成したものが知られている（例えば、特許文献１）。この種の間仕切パネルは、木質系角材により矩形形状に形成された下地フレームと、下地フレームの両面側にそれぞれ固定された一対の石膏ボードとから構成されているのが一般的である。この場合、各間仕切パネルの石膏ボードの表面に跨ってクロス（壁紙）等の化粧材が貼り付けられ、これにより間仕切壁の仕上げ面が形成されている。
【０００３】
また、間仕切パネルには、その他に遮音シートや断熱シート等、所定の性能を有するシート材が設けられることがある。かかるシート材は、例えば石膏ボードの裏面に沿って設けられる。この場合、間仕切壁について遮音性能や断熱性能等を高めることができる。
【０００４】
ところで、震災や水害等の災害が起きた場合に被災者を応急的に住まわせるために建てられる応急住宅（いわゆる仮設住宅）では、被災者が早急に居住できるように短期間での施工が求められる。そのため、間仕切壁の施工においても迅速な施工が求められ、例えば間仕切パネルの表面に化粧材を貼らずに同パネルの表面すなわち石膏ボードの表面をそのまま化粧面（仕上面）とすることがある。この場合、化粧材を貼る作業を行わなくても済むため、その分施工工数の削減が図れる。
【先行技術文献】
【特許文献】
【０００５】
【特許文献１】特開２０００−２１３０８９号公報
【発明の概要】
【発明が解決しようとする課題】
【０００６】
しかしながら、各間仕切パネルの石膏ボードの表面に跨がって化粧材の貼り付けを行わない場合、隣り合う間仕切パネル同士の隙間（継ぎ目）を通じて、間仕切壁により仕切られた両方の部屋のうち一方側から他方側へと光漏れが生じるおそれがある。この場合、その光漏れによって居住者が不快感を感じたり、部屋の意匠性が損われたりするといった問題が生じうる。
【０００７】
そこで、かかる光漏れを防止すべく、間仕切パネル同士の隙間に別途隙間埋め材を設けることが考えられるが、その場合施工工数の増大を伴うこととなり迅速な施工が妨げられるおそれがある。
【０００８】
本発明は、上記事情に鑑みてなされたものであり、複数の間仕切パネルを備える間仕切壁において、施工工数の増大を抑制しつつ、隣り合う間仕切パネル同士の間の隙間を通じた光漏れを防止することができる建物の間仕切壁構造を提供することを主たる目的とするものである。
【課題を解決するための手段】
【０００９】
上記課題を解決すべく、第１の発明の建物の間仕切壁構造は、複数の間仕切パネルが横並びで設置されることにより間仕切壁が構成される建物の間仕切壁構造において、前記間仕切パネルは、下地フレームと、その下地フレームを挟んだ両側にそれぞれ設けられた壁面材と、前記壁面材の裏面に沿って設けられたシート材とを備え、隣り合う各間仕切パネルのうち少なくともいずれか一方では、前記シート材が前記壁面材から他方の間仕切パネル側にはみ出しており、そのはみ出したはみ出し部がそれら隣り合う間仕切パネル同士の間に挟み込まれていることを特徴とする。
【００１０】
本発明によれば、間仕切パネルに設けられたシート材において壁面材から側方にはみ出したはみ出し部が隣り合う間仕切パネルの間に挟み込まれているため、それら間仕切パネル同士の間の隙間を通じた光漏れを防止することができる。
【００１１】
ここで、間仕切壁を構築するにあたっては、まず予めはみ出し部を有する遮音シートを含んで間仕切パネルの一部又は全部（以下、遮音シート付パネルという）を製造しておき、その製造した遮音シート付きパネルを横並びに順次設置していくことで構築することが考えられる。そして、この設置作業において先付けされた遮音シート付パネルの隣りに後付けで遮音シート付きパネルを設置する際に、上記のはみ出し部をそれら両パネルの間に挟み込んでいくことが考えられる。この場合、隙間埋め材等を別途間仕切パネル同士の間の隙間に設ける場合と比べ、簡単に間仕切パネル同士の間の隙間を塞ぐことができ、その結果施工工数の増大を抑制することができる。よって、以上より、施工工数の増大を抑制しつつ、間仕切パネル同士の間の隙間を通じた光漏れを防止することができる。
【００１２】
なお、上記構成によれば、間仕切パネル同士の間を通じた光漏れだけでなく、音漏れや熱の出入り等を抑制することが可能となる。
【００１３】
第２の発明の建物の間仕切壁構造は、第１の発明において、前記シート材のはみ出し部は、隣り合う間仕切パネルの間において隣接する下地フレーム同士の間に挟み込まれていることを特徴とする。
【００１４】
一般に、間仕切パネルにおいて下地フレームの厚みは壁面材の厚みよりも大きくなっていると考えられる。その点本発明では、シート材のはみ出し部を隣り合う間仕切パネルの間において隣接する下地フレーム同士の間に挟み込むようにしたため、はみ出し部が挟み込まれる挟み込み代（間仕切壁の厚み方向の長さ）を大きく確保することができる。これにより、隣り合う間仕切パネルの間を通じた光漏れをより確実に防止することができる。
【００１５】
第３の発明の建物の間仕切壁構造は、第１又は第２の発明において、前記シート材は、遮音シートからなることを特徴とする。
【００１６】
本発明によれば、間仕切パネルに遮音シートが設けられているため間仕切壁の遮音性能を高めることができる。また、遮音シートのはみ出し部が隣り合う間仕切パネルの間に挟み込まれているため、間仕切パネル同士の隙間を通じた音漏れ抑制効果を高めることができる。これにより、間仕切壁において遮音性能の向上と音漏れ抑制効果の向上とを一挙に図ることができる。
【００１７】
第４の発明の建物の間仕切壁構造は、第１乃至第３のいずれの発明において、前記間仕切パネルにおいて前記下地フレームを挟んだ両側のうちいずれか一方側では、前記壁面材が複数枚重ねて設けられており、それら重ねられた壁面材の間に前記遮音シートが挟み込まれた状態で設けられており、前記遮音シートを挟んで重なり合う２つの壁面材のうちいずれか一方の壁面材の側端部には他方の壁面材側の角部に隅取り部が形成されており、前記遮音シートにおいて前記はみ出し部は前記隅取り部側に曲げられて隣り合う間仕切パネルの間に挟み込まれていることを特徴とする。
【００１８】
間仕切パネルの遮音性能を高めるために、下地フレームを挟んだ両側のうちいずれかの側に壁面材を複数枚重ねて配設するとともに、それら重ねた壁面材の間に遮音シートを介在させることがある。この場合、遮音シートにおいてはみ出し部は壁面材の間に挟み込まれた部分に対し直角に屈曲されて、隣り合う間仕切パネル間に配置されることとなる。
【００１９】
ところで、遮音シートには、遮音性能を高めるべく鉛等の硬質の材料を含んで形成されているものがある。このような硬質の遮音シートは屈曲させることが困難であると考えられ、そのためかかる遮音シートを用いた場合には、遮音シートが十分に屈曲せずにはみ出し部を間仕切パネル間で十分に挟み込むことができなかったり、遮音シートを無理に屈曲させることで同シートに亀裂や割れを生じさせたりするといった不都合が生じるおそれがある。その点本発明では、遮音シートを挟んで重なり合う２つの壁面材のうちいずれか一方の壁面材の側端部において他方の壁面材側の角部に隅取り部が形成されており、その隅取り部に沿って遮音シートのはみ出し部を屈曲させることなく曲げることが可能となっている。これにより、硬質の遮音シートを用いる場合でも上記不都合が生じるのを抑制することができる。
【００２０】
第５の発明の建物の間仕切壁構造は、第１乃至第４のいずれかの発明において、前記間仕切パネルは、前記シート材のはみ出し部を、当該間仕切パネルの側端部に当接させた状態で保持する保持手段を備えることを特徴とする。
【００２１】
本発明によれば、間仕切パネルにおいて遮音シートのはみ出し部が当該間仕切パネルの側端部に当接させた状態で保持されているため、はみ出し部を有する遮音シートを含んでなる間仕切パネルの一部又は全部（以下、遮音シート付きパネルという）を先付けされた遮音シート付きパネルの隣りに設置する際に、はみ出し部をそれら両パネルの間に配置すべく、当該はみ出し部を遮音シート付きパネルの側端部に押さえ付けるといった煩わしい作業を行う必要がなくなる。そのため、施工作業の迅速化を図ることが可能となる。
【００２２】
第６の発明の建物の間仕切壁構造は、第１乃至第５のいずれかの発明において、前記間仕切パネルには、前記下地フレームを挟んだ両側の壁面材のうちいずれか一方側の壁面材に対して前記シート材が設けられ、そのシート材のはみ出し部が前記隣り合う間仕切パネルの間に挟み込まれており、前記下地フレームは、縦桟と横桟とが矩形枠状に連結されてなるものであり、前記隣り合う間仕切パネルにおいて隣接し合う他方側の壁面材同士の間の境界部が、それら各間仕切パネルのうちいずれかの前記下地フレームの縦桟と壁厚み方向に重なる位置に配置されていることを特徴とする。
【００２３】
光漏れ防止効果を高める上では、間仕切パネルにおいて下地フレームを挟んだ両側の壁面材にそれぞれシート材を設けるとともに、それら各シート材をそれぞれ隣り合う間仕切パネル間に挟み込むことが望ましい。しかしながら、間仕切パネルにおいてシート材が下地フレームを挟んだ両側の壁面材のうちいずれか一方側の壁面材にしか設けられていない場合等には、かかる構成を採用することができない。そこで本発明では、この点に鑑みて下地フレームの両側の壁面材のうち一方側の壁面材に設けられたシート材のはみ出し部を隣り合う間仕切パネルの間に挟み込むとともに、隣り合う間仕切パネルにおいて隣接する他方側の壁面材同士の間の境界部を下地フレームの縦桟と壁厚み方向に重なる位置に配置することでそれら壁面材同士の間の隙間を縦桟により塞ぐ構成としている。これにより、はみ出し部と縦桟との２段階で間仕切パネル間の隙間を塞ぐことができるため、光漏れ防止効果を高めることができる。
【００２４】
第７の発明の建物の間仕切壁構造は、第１乃至第５のいずれかの発明において、前記間仕切パネルには、前記下地フレームを挟んだ両側の壁面材のうちいずれか一方側の壁面材に対して前記シート材が設けられ、そのシート材のはみ出し部が前記隣り合う間仕切パネルの間に挟み込まれており、前記隣り合う間仕切パネルにおける隣接する他方側の壁面材同士において対向する各対向面はそれぞれ、それら各対向面の間の隙間が少なくとも一部において当該壁面材の横幅方向の成分を含む所定方向に延びるように形成されていることを特徴とする。
【００２５】
本発明によれば、隣り合う間仕切パネルにおいて他方側の隣接する壁面材の間の隙間が、少なくとも一部において壁面材の横幅方向の成分を含む方向に延びているため、当該隙間を通じた光漏れを抑制することができる。したがって、上記第７の発明と同様に、光漏れ防止効果を高めることができる。
【図面の簡単な説明】
【００２６】
【図１】建物における間仕切壁の構成を示す縦断面図。
【図２】間仕切壁の構成を示す横断面図。
【図３】間仕切壁を構築する際の作業内容を説明するための説明図。
【図４】他の実施形態における間仕切壁の構成を示す横断面図。
【図５】他の実施形態における間仕切壁の構成を示す横断面図。
【図６】他の実施形態における間仕切壁の構成を示す横断面図。
【図７】他の実施形態における間仕切壁の構成を示す横断面図。
【図８】他の実施形態における間仕切壁の構成を示す横断面図。
【図９】隣接する石膏ボードの境界部を示す図。
【発明を実施するための形態】
【００２７】
以下に、本発明を具体化した一実施の形態について図面を参照しつつ説明する。なお、本実施形態では、建物として災害時に被災者を応急に住まわせるための応急住宅（応急仮設住宅）を想定している。なお、図１は建物における間仕切壁の構成を示す縦断面図であり、図２は間仕切壁の構成を示す横断面図である。
【００２８】
図１及び図２に示すように、建物において屋内には間仕切壁１０が設けられている。この間仕切壁１０により屋内空間が第一居室Ｋ１と第二居室Ｋ２とに仕切られている。間仕切壁１０は、複数の間仕切パネル２０を備えており、これら各間仕切パネル２０が横並びに設けられることにより構成されている。
【００２９】
間仕切パネル２０は、下地フレーム２１と、下地フレーム２１を挟んだ両面側にそれぞれ設けられた一対の壁パネル２２，２３とを備える。下地フレーム２１は、木製の角材からなる複数のフレーム材２１ａ〜２１ｃが矩形枠状に連結されることにより構成されている。具体的には、下地フレーム２１は、四辺形状に組まれた縦フレーム材２１ａ及び横フレーム材２１ｂと、それら各フレーム材２１ａ，２１ｂの内側において縦フレーム材２１ａ同士を連結する複数の中間フレーム材２１ｃとを有する。
【００３０】
一対の壁パネル２２，２３のうち、壁パネル２２は第一居室Ｋ１に面して設けられ、壁パネル２３は第二居室Ｋ２に面して設けられている。壁パネル２２は、２枚重ねされて設けられた石膏ボード２５と、各石膏ボード２５の間に介在された遮音シート２６とを備える。２枚重ねの各石膏ボード２５ａ，２５ｂはそれぞれ下地フレーム２１と同じ大きさ（縦横寸法）を有する矩形板状に形成されている。各石膏ボード２５ａ，２５ｂはそれぞれ下地フレーム２１に対して位置合わせされた状態で設けられており、その状態で同フレーム２１にビスや釘等で固定されている。また、各石膏ボード２５ａ，２５ｂのうち表側（換言すると第一居室Ｋ１側）に配置された石膏ボード２５ａは、表面に化粧加工が施されてなる化粧石膏ボードよりなり、例えば表面に化粧紙が付されたものとなっている。
【００３１】
遮音シート２６は、石膏ボード２５と同じ大きさ（縦横寸法）を有する矩形形状に形成されており、その厚みが例えば２．４ｍｍとなっている。遮音シート２６は、例えば鉛シートにより構成されており、黒色等の遮光性の高い濃色に着色されている。遮音シート２６は、裏側の石膏ボード２５ｂの表面（換言すると、石膏ボード２５ａとの対向面）全域に接着剤等で貼り付けられており、その貼り付け状態で両石膏ボード２５ａ，２５ｂの間に挟み込まれた状態で設けられている（換言すると、石膏ボード２５ａの裏面に沿って設けられている。）。
【００３２】
なお、遮音シート２６は必ずしも鉛シートにより構成する必要はなく、金属粉混入シートや、アスファルト系シート、ガラス繊維混入シート等、その他の遮音性能に優れたシート材により構成してもよい。
【００３３】
一方、壁パネル２３は、基本的に壁パネル２２と同様の構成を有しており、２枚重ねされて設けられた石膏ボード２７と、それら各石膏ボード２７の間に介在された遮音シート２８とを備える。石膏ボード２７は、壁パネル２２の石膏ボード２５と同じ構成を有し、下地フレーム２１に対して位置合わせされた状態でビスや釘等で固定されている。それに対して、遮音シート２８は壁パネル２２の遮音シート２６と異なる構成を有している。以下、かかる遮音シート２８の構成について説明する。
【００３４】
遮音シート２８は、遮音シート２６と同様に、黒色等の遮光性の高い濃色に着色された鉛シートにより構成されている。遮音シート２８は、矩形形状に形成されており、その厚みが例えば１．４ｍｍとなっている。遮音シート２８は、その高さ寸法（上下長さ）が石膏ボード２７の高さ寸法と略同じとなっているのに対し、その横幅寸法が石膏ボード２７の横幅寸法よりも大きくなっている。遮音シート２８は、その横幅方向の一端部が石膏ボード２７の側端部と位置合わせされた状態で各石膏ボード２７ａ，２７ｂの間に挟み込まれて設けられており（換言すると石膏ボード２７ａの裏面に沿って設けられており）、そのため遮音シート２８の他端側は石膏ボード２７ａ，２７ｂから側方に一部はみ出している。以下、このはみ出した部分をはみ出し部２８ａという。
【００３５】
次に、間仕切パネル２０の設置構成について説明する。
【００３６】
各間仕切パネル２０はそれぞれ床面１５と天井面１６との間に横並びに設けられており、各々の間仕切パネル２０において下地フレーム２１の下端部に配された横フレーム材２１ｂが床面１５に対しビス等で固定され、下地フレーム２１の上端部に配された横フレーム材２１ｂが天井面１６に対しビス等で固定されている。かかる間仕切パネル２０の設置状態では、各間仕切パネル２０において各々の石膏ボード２５ａの表面が略面一とされており、各々の石膏ボード２７ａの表面が略面一とされている。
【００３７】
ここで、本間仕切壁１０では、各間仕切パネル２０の石膏ボード２５ａ，２７ａの表面に跨ってクロス等の仕上げ材が貼り付けられておらず、各石膏ボード２５ａ，２７ａの表面を仕上げ面（化粧面）として用いている。これにより、施工時において仕上げ材を貼り付ける作業を行わなくても済むため、短期間での施工が求められる応急住宅において、施工期間の短縮を図ることが可能となっている。
【００３８】
ところで、このように各間仕切パネル２０の表面に跨って仕上げ材が貼り付けられない構成では、間仕切パネル２０同士の間の隙間を通じて第一居室Ｋ１（又は第二居室Ｋ２）側から第二居室Ｋ２（又は第一居室Ｋ１）側へと光漏れが生じるおそれがある。そこで、本実施形態の間仕切壁１０は、かかる光漏れを防止すべく特徴的な構成を有しており、以下においてはその点について説明する。
【００３９】
隣り合う間仕切パネル２０の間には、遮音シート２８のはみ出し部２８ａがそれら両パネル２０により挟み込まれた状態で設けられている。はみ出し部２８ａは、隣り合う間仕切パネル２０の間において、下地フレーム２１側（換言すると、第一居室Ｋ１側）に延びており、隣接する各石膏ボード２７ｂの間、及び隣接する下地フレーム２１（詳細には縦フレーム材２１ａ）の間に挟み込まれている。この場合、隣り合う間仕切パネル２０の間の隙間３１が上下方向全域においてこのはみ出し部２８ａにより塞がれた状態となっている。これにより、かかる隙間３１を通じて第一居室Ｋ１（又は第二居室Ｋ２）側から第二居室Ｋ２（又は第一居室Ｋ１）側へと光漏れが生じるのが防止されている。
【００４０】
次に、上述した間仕切壁１０を構築する際の作業内容について図３に基づいて説明する。なお、図３は間仕切壁１０を構築する際の作業内容を説明するための説明図である。
【００４１】
まず、図３（ａ）に示すように、製造工場において、下地フレーム２１の一方側の面に各石膏ボード２７ａ，２７ｂ及び遮音シート２８（すなわち壁パネル２３）を組み付けることにより、中間パネル３３を製造する。この場合、遮音シート２８については石膏ボード２７から側方に一部（すなわちはみ出し部２８ａ）はみ出した状態で組み付ける。なお、中間パネル３３は、間仕切パネル２０が完成する前の中間状態であり、この中間パネル３０を製造工場において予め製造しておくことで施工現場での工数削減を図っている。
【００４２】
施工現場では、間仕切壁１０を構成する各間仕切パネル２０を順に建物内に組み付けていく。ここでは、一部の間仕切パネル２０がすでに建物内に組み付けられていることを想定している。
【００４３】
まず、図３（ｂ）に示すように、先付けされた間仕切パネル２０の横隣りに中間パネル３３を設置する。この際、中間パネル３３において遮音シート２８のはみ出し部２８ａを当該中間パネル３３と先付けされた間仕切パネル２０との間に挟み込んだ状態で設置する。より詳しくは、はみ出し部２８ａを中間パネル３３と先付けパネル２０との間に挟み込むべく、当該はみ出し部２８ａを中間パネル３３の側端部に押し当てながら中間パネル３３の設置を行う。そして、中間パネル３３の設置後、同パネル３３における下地フレーム２１の上下両端の各横フレーム材２１ｂをそれぞれ床面１５及び天井面１６に対しビスや釘等で固定する。
【００４４】
次に、図３（ｃ）に示すように、中間パネル３３の下地フレーム２１に対して各石膏ボード２５ａ，２５ｂ及び遮音シート２６（すなわち壁パネル２２）を組み付けていく。これにより、図３（ｄ）に示すように、間仕切パネル２０の設置が完了する。このようにして、順次、各間仕切パネル２０を設置していくことにより間仕切壁１０を構築する。
【００４５】
以上、詳述した本実施形態の構成によれば、以下の優れた効果が得られる。
【００４６】
隣り合う各間仕切パネル２０のうち一方の間仕切パネル２０において、遮音シート２８の一部を石膏ボード２７から他方の間仕切パネル２０側にはみ出させ、そのはみ出したはみ出し部２８ａをそれら間仕切パネル２０同士の間に挟み込むようにした。これにより、間仕切パネル２０同士の間の隙間３１をはみ出し部２８ａにより塞ぐことができるため、当該隙間３１を通じた光漏れを防止することができる。そのため、光漏れによって居住者が不快感を感じたり、間仕切壁１０の意匠性が損なわれたりするといった不都合を抑制することができる。
【００４７】
なお、間仕切パネル２０同士の間の隙間３１をはみ出し部２８ａにより塞ぐことで当該隙間３１を通じた音漏れや熱の出入り等を抑制することもできる。
【００４８】
また、間仕切壁１０の施工に際し、先付けされた間仕切パネル２０の横隣りに中間パネル３３を後付けで設置すると同時に、同パネル３３の遮音シート２８のはみ出し部２８ａをそれら両パネル２０，３３の間に挟み込むことができるため、隙間埋め材等を別途間仕切パネル２０同士の間の隙間３１に設ける場合と比べ、簡単にパネル２０間の隙間３１を塞ぐことができる。そのため、施工工数の増大を抑制することが可能となる。
【００４９】
遮音シート２８のはみ出し部２８ａを、隣り合う間仕切パネル２０において隣接する下地フレーム２１同士の間に挟み込むようにしたため、はみ出し部２８ａを挟み込む挟み込み代（間仕切壁１０の厚み方向の長さ）を大きく確保することができる。これにより、隣り合う間仕切パネル２０の間を通じた光漏れをより確実に防止することができる。
【００５０】
具体的には、はみ出し部２８ａを隣り合う間仕切パネル２０において隣接する下地フレーム２１同士の間と、隣接する石膏ボード２７ｂ同士の間とにそれぞれ挟み込むようにしたため、はみ出し部２８ａの挟み込み代をより一層大きく確保することが可能となっている。
【００５１】
間仕切パネル２０にはシート材として遮音シート２８を設け、その遮音シート２８のはみ出し部２８ａを隣り合う間仕切パネル２０同士の間に挟み込むようにしたため、間仕切壁１０について遮音性能の向上と間仕切パネル２０同士の隙間３１を通じた音漏れの抑制とを一挙に図ることができる。
【００５２】
厚みが大小異なる複数の遮音シート２６，２８のうち厚みの小さい遮音シート２８を隣り合う間仕切パネル２０同士の間に挟み込むようにした。これにより、間仕切パネル２０同士の間の隙間３１が大きくなるのを抑制しつつはみ出し部２８ａをパネル２０同士の間に挟み込むことができるため、間仕切壁１０の外観が損なわれるのを抑制しつつパネル２０同士の隙間３１からの光漏れを防止することができる。
【００５３】
本発明は上記実施形態に限らず、例えば次のように実施されてもよい。
【００５４】
（１）遮音シート２８において石膏ボード２７からはみ出したはみ出し部２８ａのはみ出し長さを石膏ボード２７の厚み寸法よりも短くすることで、はみ出し部２８ａを隣り合う間仕切パネル２０の間において隣接する石膏ボード２７ｂ同士の間でのみ挟み込むようにしてもよい。また、図４に示すように、はみ出し部２８ａを、隣り合う間仕切パネル２０の間において、石膏ボード２７ａの表面側（換言する第二居室Ｋ２側）に向かって延びるように設け、隣接する石膏ボード２７ａ同士の間で挟み込むようにしてもよい。これら各場合においても、隣り合う間仕切パネル２０同士の間の隙間３１を通じた光漏れを防止することができる。
【００５５】
（２）間仕切パネル２０に、遮音シート２８のはみ出し部２８ａを当該間仕切パネル２０の側端部（横幅方向の端部）に当接させた状態で保持する保持手段を設けてもよい。例えば、間仕切パネル２０の下地フレーム２１（詳しくは縦フレーム材２１ａ）の側端部にはみ出し部２８ａを接着剤等を用いて固定することで当該側端部に対し当接状態で保持することが考えられる。この場合、中間パネル３３を先付けされた間仕切パネル２０の隣りに後付けで設置する際に、中間パネル３３の遮音シート２８のはみ出し部２８ａをそれら両パネル３３，２０の間に配置すべく、当該はみ出し部２８ａを中間パネル３３の側端部に押さえ付けるといった煩わしい作業を行う必要がなくなる。そのため、設置作業の迅速化を図ることが可能となる。
【００５６】
また、図５に示すように、はみ出し部２８ａを、２枚重ねされた各石膏ボード２７のうち裏側の石膏ボード２７ｂ（すなわち、下地フレーム２１に直付けされた石膏ボード２７ｂ）の側端部に当接させた状態で、その当接された部位よりも先端側を石膏ボード２７ｂと下地フレーム２１（詳しくは縦フレーム材２１ａ）との間に挟み込むことで当該当接状態を保持してもよい。この場合、石膏ボード２７ｂを下地フレーム２１に対してそれら両者２１，２７ｂの間にはみ出し部２８ａの一部を挟み込んで固定するといった簡易な作業を行うことで、はみ出し部２８ａをパネル側端部に当接させることができる。
【００５７】
（３）上記実施形態において、さらに間仕切パネル２０の遮音シート２６についても石膏ボード２５から側方にはみ出すはみ出し部を設け、そのはみ出し部を各間仕切パネル２０の間に挟み込むようにしてもよい。そうすれば、各間仕切パネル２０の間の隙間３１を２つのはみ出し部により塞ぐことができるため、光漏れ防止効果を高めることができる。なお、かかる構成とする場合には、遮音シート２６を遮音シート２８と同じ厚みを有して形成することが望ましい。
【００５８】
（４）隣り合う各間仕切パネル２０においてそれぞれ遮音シート２８の一部を石膏ボード２７に対して他方の間仕切パネル２０側にはみ出させ、それらはみ出した各はみ出し部を互いに重ね合わせた状態で隣り合う間仕切パネル２０の間に挟み込むようにしてもよい。そうすれば、遮音シート２８として厚みの薄いものを用いる場合でも、間仕切パネル２０同士の間の隙間３１を好適に塞ぐことが可能となる。
【００５９】
（５）ところで、遮音シート２８は、遮音性能を高めるべく、硬質の材料を用いて形成されている場合がある。その場合、遮音シート２８においてはみ出し部２８ａを隣り合う間仕切パネル２０の間に挟み込むべく、石膏ボード２７ａ，２７ｂ間に挟み込まれた部分に対して直角に屈曲させることが困難になる場合が考えられる。そこで、その対策として、例えば図６に示すような構成を採用してもよい。
【００６０】
図６に示す間仕切パネル２０では、遮音シート２８を挟んで重なり合う各石膏ボード２７ａ，２７ｂのうち石膏ボード２７ｂの側端部における石膏ボード２７ａ側の角部に隅取り部４１が形成されている。隅取り部４１は、上記角部が円弧状に隅取られてなるものであり、その隅取り部４１の円弧面に沿って遮音シート２８のはみ出し部２８ａが円弧状に曲げられ隣り合う間仕切パネル２０の間に挟み込まれている。これにより、遮音シート２８を無理に屈曲させることなく、はみ出し部２８ａを隣り合う間仕切パネル２０の間に配置することができる。そのため、硬質の遮音シート２８を用いる場合であっても、はみ出し部２８ａを隣り合う間仕切パネル２０の間に好適に挟み込むことができる。
【００６１】
なお、隅取り部４１は必ずしも円弧状とする必要はなく、テーパ状等その他の形状であってもよい。要するに、石膏ボード２７ａの上記角部が隅取りされていれば、遮音シート２８のはみ出し部２８ａを屈曲させることなく曲げることが可能となる。
【００６２】
（６）上記実施形態では、間仕切パネル２０に、石膏ボード２５，２７を２枚重ねして設けたが、３枚以上重ねて設けてもよい。その場合でも、互いに重なり合う２つの石膏ボード２５，２７の間に遮音シート２６，２８を介在させればよい。
【００６３】
また、石膏ボード２５，２７は、必ずしも複数枚重ねて設ける必要はない。例えば図７に示す間仕切パネル４０は、下地フレーム２１と、その両面側にそれぞれ１枚ずつ設けられた石膏ボード２５，２７と、各石膏ボード２５，２７の裏面に沿ってそれぞれ設けられた遮音シート２６，２８とを備えている。各遮音シート２６，２８はそれぞれ石膏ボード２５，２７の裏面に接着剤等を用いて貼り付けられており、下地フレーム２１と石膏ボード２５，２７との間に挟み込まれて設けられている。そして、遮音シート２８のはみ出し部２８ａは、隣り合う間仕切パネル２０の間において隣接する下地フレーム２１（縦フレーム材２１ａ）同士の間に挟み込まれている。この場合においても、間仕切パネル２０同士の隙間３１がはみ出し部２８ａにより塞がれているため、間仕切パネル２０同士の間の隙間３１を通じた光漏れを防止することができる。
【００６４】
（７）上記（６）の構成において、遮音シート２６についても石膏ボード２７から側方にはみ出したはみ出し部を設け、そのはみ出し部を隣り合う間仕切パネル４０の間に挟み込むようにしてもよい。そうすれば、隣り合う間仕切パネル４０の間の隙間３１を２つのはみ出し部により閉塞することができるため、上記（３）の構成と同様、光漏れ防止効果を高めることができる。
【００６５】
（８）ところで、間仕切パネルによっては、下地フレーム２１を挟んだ両側の石膏ボードのうちいずれか一方側の石膏ボードに対してしか遮音シートが設けられていないことがある。そのような場合には、光漏れ防止効果を高めるべく、上記（３）及び（７）のような構成、すなわち下地フレーム２１を挟んだ両側の石膏ボードにそれぞれ設けられた各遮音シートのはみ出し部を隣り合う間仕切パネルの間にそれぞれ挟み込む構成を採用することができない。そこで、かかる場合に、以下のような構成で光漏れ防止効果を高めてもよい。
【００６６】
図８に示す間仕切壁５０は、図７の構成に対して、各間仕切パネル５５が遮音シート２６を有しない構成となっている。そして、図８の間仕切壁５０では、隣り合う間仕切パネル５５の隣接する石膏ボード２５（すなわち、遮音シートが裏面に設けられていない側の石膏ボード２５）同士の間の境界部が横方向に位置ずれされることにより、同境界部が下地フレーム２１の縦フレーム材２１ａと壁厚み方向に重なる位置に配置されている。具体的には、間仕切パネル５５は、石膏ボード２５が下地フレーム２１に対して横方向に位置ずれされた状態で設けられている。この場合、間仕切パネル５５の幅方向の一端側では、石膏ボード２５の一部が下地フレーム２１に対して側方に延出しており、この延出した部分が延出部５７となっている。一方、間仕切パネル５５の幅方向の他端側では、下地フレーム２１の一部、詳しくは縦フレーム材２１ａの一部が石膏ボード２５に対して側方に延出しており、その延出した部分が延出部５８となっている。そして、隣り合う間仕切パネル５５において一方の間仕切パネル５５の石膏ボード２５の延出部５７が、他方の間仕切パネル５５における下地フレーム２１の縦フレーム材２１ａの延出部５８に壁厚み方向に重なり合った状態で設けられている。これにより、隣り合う間仕切パネル５５において隣接する石膏ボード２５同士の境界部が縦フレーム材２１ａと壁厚み方向に重なるように配置され、その結果各石膏ボード２５同士の間の隙間５９が縦フレーム材２１ａにより閉塞されている。この場合、遮音シート２８のはみ出し部２８ａと縦フレーム材２１ａとの２段階で間仕切パネル５５同士の間の隙間３１，５９を塞ぐことができるため、光漏れ防止効果を高めることができる。
【００６７】
なお、図８の構成において、遮音シート２８に代えて、はみ出し部２８ａを有しない遮音シートを用いてもよい。すなわち、はみ出し部を隣り合う間仕切パネル５５同士の間に挟み込まないようにしてもよい。また、間仕切パネル５５が遮音シート２８を有しない構成としてもよい。これらの場合でも、縦フレーム材２１ａにより隣接する石膏ボード２５同士の間の隙間５９が塞がれているため、光漏れ防止を図ることができる。
【００６８】
（９）また、図７の構成において、（遮音シートが裏面に設けられていない側の）石膏ボード２５の側端面の形状を図９に示すような形状としてもよい。図９は、隣り合う間仕切パネルにおいて隣接する石膏ボード２５同士の境界部を示している。また、同図では、図を簡略化するために石膏ボード２５以外の図示を省略している。なお、図９（ａ）〜（ｃ）ではいずれも隣接する石膏ボード２５同士の間の隙間の幅（換言すると、各石膏ボード２５の側端面同士の離間距離）が、石膏ボード２５の厚み方向全域において一定となっている。
【００６９】
図９（ａ）では、隣接する石膏ボード２５同士において所定の隙間６２を隔てて対向する各側端面６１ａ，６１ｂがそれぞれ石膏ボード２５の厚み方向に対して斜めの方向に延びるように形成されている。したがって、上記隙間６２も同方向に延びている。また、図９（ｂ）では、隣接する石膏ボード２５同士において所定の隙間６４を隔てて対向する各側端面６３ａ，６３ｂがそれぞれ横断面円弧状をなしている。したがって、隙間６４も円弧状をなしている。また、図９（ｃ）では、隣接する石膏ボード２５同士において所定の隙間６６を隔てて対向する各側端面６５ａ，６５ｂが、その一部において石膏ボード２５の横幅方向に延びる段差面６９ａ，６９ｂとなっている。したがって、隙間６６もその一部において石膏ボード２５の横幅方向に延びている。
【００７０】
以上より、図９（ａ）〜（ｃ）のいずれの場合においても、隣接する石膏ボード２５同士の間の隙間６２，６４，６６が、その少なくとも一部において石膏ボード２５の横幅方向の成分を含む向きに延びているため、当該隙間６２，６４，６６を通じた光漏れを抑制することができる。したがって、この場合、遮音シート２８のはみ出し部２８ａによる隙間の閉塞と併せることで、光漏れ防止効果を高めることができる。
【００７１】
（１０）間仕切パネル２０には、遮音性能を有する遮音シート２８以外にも、断熱性能を有する断熱シートや、防湿性能を有する防湿シート等、他の性能を有するシート材が設けられることがある。そのような場合には、かかるシート材を隣り合う間仕切パネル２０同士の間に挟み込むようにしてもよい。この場合においても、上記実施形態と同様に、施工工数の増大を抑制しつつ、間仕切パネル２０間を通じた光漏れを防止することができる。
【００７２】
（１１）シート材のはみ出し部を折り返し重ね合わせることにより重ね部を形成し、その重ね部を隣り合う間仕切パネル２０同士の間に挟み込むようにしてもよい。そうすれば、シート材として薄膜状のものを用いる場合でも、間仕切パネル２０同士の間の隙間３１を確実に塞ぐことが可能となる。
【００７３】
（１２）上記実施形態では、間仕切パネル２０の壁面材として石膏ボード２５,２７を用いたが、パーティクルボードや合板等その他のボードを用いてもよい。
【００７４】
（１３）上記実施形態では、本発明を応急住宅に適用した場合を説明したが、応急住宅以外の通常の住宅に対して適用してもよい。そうすれば、通常の住宅において施工工数の削減や、それに伴うコストの削減を図ることが可能となる。
【符号の説明】
【００７５】
１０…間仕切壁、２０…間仕切パネル、２１…下地フレーム、２１ａ…縦桟としての縦フレーム材、２１ｂ…横桟としての横フレーム材、２５…壁面材としての石膏ボード、２６…シート材としての遮音シート、２７…壁面材としての石膏ボード、２８…シート材としての遮音シート、２８ａ…はみ出し部。
【図１】
2013112990.tif 000003
【図２】
2013112990.tif 000004
【図３】
2013112990.tif 000005
【図４】
2013112990.tif 000006
【図５】
2013112990.tif 000007
【図６】
2013112990.tif 000008
【図７】
2013112990.tif 000009
【図８】
2013112990.tif 000010
【図９】
2013112990.tif 000011